(57)【特許請求の範囲】
【請求項１】
アルミ等の軟質金属薄板によって円筒体からなる周胴部の上面に頂面板を形成した逆有底円筒状の口金であって、前記頂面板の中央部には透孔が穿設され、当該透孔の外周には溝が穿設され、当該溝の両端部にはそれぞれ前記周胴部に達する第１および第２の切り裂き筋が刻設され、前記第１の切り裂き筋の先端は前記周胴部の下端部に達し、前記第２の切り裂き筋の先端は前記周胴部内に位置し、
前記頂面板内の前記第１の切り裂き筋と前記第２の切り裂き筋とは、前記溝の両端部の中央と前記透孔の中心とを通る直線と平行または傾斜して設けられ、前記周胴部内の前記第１の切り裂き筋と前記第２の切り裂き筋とは、鉛直方向に対して傾斜して互いに平行となるように設けられたことを特徴とする薬用瓶の口金。
【請求項２】
前記周胴部内に位置する前記第２の切り裂き筋の先端には透孔が形成されていることを特徴とする請求項１に記載の薬用瓶の口金。
【請求項３】
請求項１または２に記載の薬用瓶の口金が装着されていることを特徴とする薬用瓶。
【発明の詳細な説明】
【０００１】
【発明の属する技術分野】
本発明は、バイアル等の薬用瓶の蓋部に使用される薬用瓶の口金に関するものである。
【０００２】
【従来の技術】
ゴム栓等によって閉塞されている瓶口に、逆有底円筒状の口金を冠着させ、その口金の周胴部を瓶口に対して巻き締めて構成する蓋部を有するバイアル等の薬用瓶は広く知られている。
【０００３】
図９は、このような薬用瓶に用いられる口金の構成を示した斜視図である。口金１の頂面部には、通常、口金を剥離するための剥離環（タブ）１５が設けられている。そして、この剥離環（タブ）１５の外周の溝１４の両端部にはそれぞれ口金の周胴部１１に達する切り裂き筋１６，１７が刻設されている。
【０００４】
薬用瓶内の薬品を使用する場合、使用者は、この剥離環（タブ）１５を引っ張って瓶口から口金全体を剥離し、ゴム栓等を外して内部の薬品を使用している。
【０００５】
しかしながら、このような従来の薬用瓶の口金においては、瓶口から口金を剥離する場合、図１０に示したように剥離環（タブ）１５とそれに連なる２本の切り裂き筋１６，１７に挟まれた周胴部の一部１１ａのみが、口金本体１の他の部分と離れて剥離してしまうことがあった。このようになったときには、使用者は瓶口に残っている口金本体１の他の部分を改めて取り除いた後にゴム栓等を外さなければならず、それだけ余分な手間をかけなければならなかった。さらに手の指や爪を用いて残った口金本体１を取り除く際、指先を切傷する虞れがあった。また、従来の口金においては、瓶口から口金を剥離する際、図１１に示したように周胴部１１の下端部が繋った状態で残ってしまうこともあった。このような状態になった場合には、ラジオペンチ等の器具を用いて残っている口金本体１を取り除かなければならず、忙しいナース等の使用者にわずらわしい手間を強いていた。
【０００６】
以上のような口金の除去に関する問題に対処するために、従来から、剥離環（タブ）１５を切り裂き筋１６，１７に沿って手前に引いてから右方向に引っ張るという口金の除去手順を図と文で説明した説明書（『キャップのあけ方』）を商品に添付している。
【０００７】
本発明の目的は、剥離環とそれに連なる周胴部の一部が、口金の他の部分から独立して分離しにくく、剥離環と共に口金全体を瓶口から確実に剥離することができる薬用瓶の口金を提供することにある。
【０００８】
【課題を解決するための手段】
以上の目的を達成するために本発明は、アルミ等の軟質金属薄板によって円筒体からなる周胴部の上面に頂面板を形成した逆有底円筒状の口金であって、前記頂面板の中央部には透孔が穿設され、当該透孔の外周には溝が穿設され、当該溝の両端部にはそれぞれ前記周胴部に達する第１および第２の切り裂き筋が刻設され、前記第１の切り裂き筋の先端は前記周胴部の下端部に達し、前記第２の切り裂き筋の先端は前記周胴部内に位置し、前記頂面板内の前記第１の切り裂き筋と前記第２の切り裂き筋とは、前記溝の両端部の中央と前記透孔の中心とを通る直線と平行または傾斜して設けられ、前記周胴部内の前記第１の切り裂き筋と前記第２の切り裂き筋とは、鉛直方向に対して傾斜して互いに平行となるように設けられたことを特徴とするものである。
【発明が解決しようとする課題】
【０００９】
【発明の実施の形態】
以下、図面を参照して、先ず本発明に係る薬用瓶の口金の基本構成を説明する。
【００１０】
図１は本発明に係る口金を使用する蓋体の構成を示す分解斜視図であり、図２は図１に示した蓋体が装着された薬用瓶の断面図である。
【００１１】
この薬用瓶の蓋体は、図１に示すように、アルミ等の軟質金属薄板によって逆有底円筒状に形成した口金本体１と、前記口金本体１の頂面内側に嵌合させることができ、且つ、口金本体１と相似形状に形成した内蓋２と、前記口金本体１の頂面部を含む上半部に冠着させることのできる合成樹脂製の外蓋３の組み合わせによって構成されている。
【００１２】
口金本体１は、適宜の高さをした周胴部１１の上面に頂面板１２を形成することによって逆有底円筒状に形成されている。
【００１３】
１３は頂面板１２の中央部に穿設した透孔であり、図２に示すように、この透孔１３を通して薬用瓶４の瓶口に嵌装したゴム栓５の上面が露出できるようになっている。
【００１４】
１４は頂面板１２に穿設した透孔１３の周囲に形成された適宜の幅を持った溝であり、この溝１４の両端部が形成された頂面板１２から周胴部１１の上端部に達するように２本の切り裂き筋１６，１７を刻設することによって、この溝１４に囲まれる内側が引き起こし用の剥離環１５となるように構成されている。１４ａは、薬用瓶４の瓶口から口金本体１を剥離する際、その剥離が容易に行なわれるように頂面板１２に設けられたスリットである。なお、１９は口金本体１を薬用瓶の瓶口部に巻き締めるときの巻締位置を示している。
【００１５】
内蓋２は、周胴部２１の上端に頂面板２２を連続されることによって逆有底円筒状に形成するものであり、口金本体１と相似形状をなし、これに嵌合することができる大きさとして形成するものである。この内蓋２は、本実施例では口金本体１と同質材のアルミ等の軟質金属薄板によって形成されているが、この内蓋２は合成樹脂によって形成してもよい。
【００１６】
前記した周胴部２１の高さは、図２に示すように、ゴム栓５のフランジの高さよりも低く形成してあり、使用時において前記したゴム栓５のフランジの周胴に密着できるようにしてある。
【００１７】
２３は内蓋２の頂面板２２に穿設した透孔であり、この透孔２３の大きさは、口金本体１の頂面板に穿設した透孔１３よりも小さい寸法となっている。これによって、外蓋３を剥離除去する際に内蓋２から外れる係止突起３９を口金本体１の透孔１３を通して上面に引き上げることができる（図２参照）。
【００１８】
口金本体１の上面に冠着する外蓋３は、適宜の硬度を有する合成樹脂を用いて形成するものであり周胴部が口金本体１の周胴部１１に少しだけかぶさることができる浅い倒皿状となるように形成されている。
【００１９】
外蓋３の裏面中央部には、図２に示すように、内蓋２に穿設した透孔２３の円周に当接しながら折り曲げ係止することのできる係止突起３９が突設されており、透孔２３に嵌合したのち、内蓋２の内側から折り曲げ加圧することにより、或いは同じく内側から加熱することにより押し広げられながら倒伏させられるように折り曲げ自在に突設されている。
【００２０】
次に、図３を用いて本発明に係る口金本体１の基本構成について詳しく説明する。
【００２１】
図３（ａ）は口金本体１を裏面側から視た斜視図であり、図３（ｂ）は口金本体１を正面側から視た斜視図である。
【００２２】
図３（ａ），（ｂ）において、図１および図２と同一符号のものは同一のものを示している。図３（ａ），（ｂ）に示したように第１の切り裂き筋１６の先端は周胴部１１の下端部に達しており、第２の切り裂き筋１７の先端は周胴部１１内に位置している。
【００２３】
第１の切り裂き筋１６は、頂面板１２内の切り裂き筋１６ａと、周胴部１１内の切り裂き筋１６ｂおよび１６ｃとから構成されている。ここで、周胴部１１内の切り裂き筋１６ｃは、切り裂き筋１６ｂの先端から周胴部１１の下端部に至る切り裂き筋であり、切り裂き筋１６ｂに比して幅が狭くまたその深さも浅くなっている。このように巻締位置１９付近の切り裂き筋の幅を狭く且つ深さを浅くすることによって、瓶口部への巻締工程における口金本体１の強度を確保している。
【００２４】
第２の切り裂き筋１７は、頂面板１２内の切り裂き筋１７ａと周胴部１１内の切り裂き筋１７ｂとから構成されている。そして、この切り裂き筋１７ｂの先端は図示したように周胴部１１内に位置している。
【００２５】
以上のように構成された口金本体１，内蓋２および外蓋３からなる蓋体本体を組み立て、ゴム栓５が嵌合している薬用瓶４の瓶口部に冠着させ、口金本体の周胴部１１の下端部を巻締め機によって巻締め固定することにより、蓋体本体は薬用瓶に装着される。
【００２６】
図２に示したような構成の蓋体を有する薬用瓶においては、少量の薬液を使用するときは、外蓋３のみを除去しゴム栓５に注射針を挿通させて薬液を取り出し、大量の薬液を使用するときには、外蓋３を除去した後、剥離環１５を引っ張って口金本体１を除去し、ゴム栓５を外して内部の薬液を取り出す。
【００２７】
以上のように構成された口金本体１においては、２本の切り裂き筋１６，１７のうち第１の切り裂き筋１６のみが周胴部１１の下端部まで刻設されているために、使用者が剥離環１５を引っ張る際に、図４に示したように切り裂き筋１６側の口金が容易に切り裂かれる。このとき切り裂き筋１６側よりも強度が高い切り裂き筋１７側の口金は通常の状態では全て切り裂かれることはない。従って、使用者が剥離環１５を引っ張れば、先ず、切り裂き筋１６側の口金が切り裂かれ、次いで頂面板１２がスリット１４ａのところで割れて口金本体１は確実に薬用瓶４から除去される。このように本発明に係る薬用瓶の口金の基本構成は、アルミ等の軟質金属薄板によって円筒体からなる周胴部の上面に頂面板を形成した逆有底円筒状の口金であって、前記頂面板の中央部には透孔が穿設され、当該透孔の外周には溝が穿設され、当該溝の両端部にはそれぞれ前記周胴部に達する第１および第２の切り裂き筋が刻設され、前記第１の切り裂き筋の先端は前記周胴部の下端部に達し、前記第２の切り裂き筋の先端は前記周胴部内に位置していることを特徴とするものである。
【００２８】
以上説明したように、本発明に係る基本構成を具えた口金本体１によれば切り裂かれ易い切り裂き筋１６によって切り裂き方向が確実に案内されるので、右手を使用しても左手を使用しても確実に口金本体１を除去することができる。
【００３９】
次に、切り裂き筋１７側の口金が、切り裂き筋１６側の口金に比して切り裂かれにくく、且つ口金を薬用瓶の瓶口から外し易い構成とした本発明の実施形態について説明する。なお、以下に説明する本発明の実施形態が前述した本発明に係る基本構成を具えた口金本体１と異なるところは、切り裂き筋１６，１７の構成のみであるので、以下の記載ではこの部分のみの構成を説明し、その他の部分の説明は省略する。
【００４０】
（実施形態１）
実施形態１の構成を図５に示す。
【００４１】
本実施形態は、図３に示した基本構成を具えた口金本体１における第１の切り裂き筋１６と第２の切り裂き筋１７との周胴部１１内に位置する部分（切り裂き筋１６ｂ，１６ｃ，１７ｂ）を、図５に示したように鉛直方向Ｘに対して傾斜させた方向に互いが平行となるように設けたものである。
【００４２】
このように構成された本実施形態によれば、使用者が口金本体１を取り外す際、すなわち剥離環（タブ）１５を引っ張る際、第１の切り裂き筋１６および第２の切り裂き筋１７によって口金を取り外す方向（図４参照）に手が自然に誘導されるので、口金の取り外しを容易に行なうことができる。
【００４３】
（実施形態２）
実施形態２の構成を図６に示す。
【００４４】
本実施形態は、実施形態１における頂面板１２内の切り裂き筋１６ａ，１７ａも周胴部１１内の切り裂き筋１６ｂ，１６ｃ，１７ｃと同一方向に傾斜させたものである。換言すれば、本実施形態の頂面板１２内の切り裂き筋１６，１７ａは、溝１４の両端部の中央と透孔１３の中心とを通る直線の方向Ｙに対して傾斜した方向に刻設されている。
【００４５】
（実施形態３）
実施形態３の構成を図７に示す。
【００４６】
本実施形態は、実施形態２における周胴部１１内の切り裂き筋１７ｂの先端に切裂き防止用の透孔１８を設けたものである。
【００４７】
（実施形態４）
実施形態４の構成を図８に示す。
【００４８】
本実施形態は、実施形態３における切り裂き筋１７ｂの先端を巻締位置１９に位置させたものである。
【００４９】
以上説明した実施形態１〜４においては、図４に示したように、薬用瓶の上方から視て口金を右側に取り外すことを想定した構成となっているが、切り裂き筋１７の先端を周胴部１１の下端に位置させ、切り裂き筋１６の下端を周胴部１１内に位置させるように構成すれば、薬用瓶の上方から視て左側に取り外すことが容易な口金とすることができる。なお、この場合切り裂き筋を傾斜させるときには、以上説明した実施形態の傾斜方向とは反対の方向に傾斜させなければならない。
【００５０】
【発明の効果】
以上説明したように、本発明によれば、剥離環とそれに連なる周胴部の一部が、口金の他の部分から独立して分離しにくく、剥離環と共に口金全体を瓶口から確実に剥離することができる。
【図面の簡単な説明】
【図１】  本発明に係る基本構成を具えた口金本体１を含む蓋体本体の構成を示す分解斜視図である。
【図２】  図１に示した蓋体が装着された薬用瓶の断面図である。
【図３】  図１に示した口金本体１の構成を示す斜視図である。
【図４】  図１に示した口金本体１の動作の説明図である。
【図５】  本発明の実施形態１の構成を示す斜視図である。
【図６】  本発明の実施形態２の構成を示す斜視図である。
【図７】  本発明の実施形態３の構成を示す斜視図である。
【図８】  本発明の実施形態４の構成を示す斜視図である。
【図９】  従来の口金の構成を示す斜視図である。
【図１０】  従来の口金の説明図である。
【図１１】  従来の口金の説明図である。
【符号の説明】
１  口金本体
２  内蓋
３  外蓋
４  薬用瓶
５  ゴム栓
１１  周胴部
１２  頂面板
１３，１８  透孔
１４  溝
１５  剥離環（タブ）
１６，１６ａ，１６ｂ，１６ｃ，１７，１７ａ，１７ｂ  切り裂き筋
１９  巻締位置
２１  周胴部
２２  頂面板
２３  透孔
３９  係止突起
Ｘ  鉛直方向
Ｙ  直線の方向
【図１】
0003806852.tif 000002
【図２】
0003806852.tif 000003
【図３】
0003806852.tif 000004
【図４】
0003806852.tif 000005
【図５】
0003806852.tif 000006
【図６】
0003806852.tif 000007
【図７】
0003806852.tif 000008
【図８】
0003806852.tif 000009
【図９】
0003806852.tif 000010
【図１０】
0003806852.tif 000011
【図１１】
0003806852.tif 000012